(57)【特許請求の範囲】
【請求項１】
メータを接続する接続部を備え、無線網を介して互いに無線通信を行う複数の第１無線機と、前記無線網を介して前記第１無線機と無線通信が可能であると共に、前記無線網とは異なる通信網に接続された外部通信装置と通信が可能である第２無線機とを含み、前記第１無線機及び前記第２無線機は、接続先を識別する識別子を含んだ識別子通知信号を前記無線網を介して受信した場合、前記接続先との通信接続の可否を判断し、通信接続を可と判断した場合に前記接続先との通信接続を確立させる無線テレメータシステムにおいて、
前記第１無線機は、
前記無線網を介して受信した識別子通知信号の送信元が他の第１無線機又は前記第２無線機のいずれであるかを判別する判別部と、
前記識別子通知信号の送信元が他の第１無線機である場合と前記第２無線機である場合とで異なる判断基準を用いて、前記送信元との通信接続の可否を判断する判断部と
を備えることを特徴とする無線テレメータシステム。
【請求項２】
前記識別子通知信号は、属性に応じて各第１無線機及び前記第２無線機を分類する複数のグループのうち、前記識別子通知信号の送信元が属するグループのグループＩＤを含み、
前記判断部は、
受信した識別子通知信号の送信元が他の第１無線機であると前記判別部にて判別された場合、前記識別子通知信号に含まれるグループＩＤと、前記識別子通知信号を受信した第１無線機が属するグループのグループＩＤとが一致する場合に前記送信元との通信接続を可と判断し、
受信した識別子通知信号の送信元が前記第２無線機であると前記判別部にて判別された場合、前記識別子通知信号に含まれるグループＩＤが予め定めたグループＩＤの候補に該当する場合に前記送信元との通信接続を可と判断する
ことを特徴とする請求項１に記載の無線テレメータシステム。
【請求項３】
前記第２無線機は、
前記無線網を介して受信した識別子通知信号に含まれるグループＩＤが、予め定めたグループＩＤの候補に該当するか否かに応じて、前記識別子通知信号の送信元との通信接続の可否を判断する第２判断部
を備える
ことを特徴とする請求項２に記載の無線テレメータシステム。
【請求項４】
前記第２無線機は、前記複数の第１無線機の何れか１つが属するグループのグループＩＤと同一のグループＩＤを有する
ことを特徴とする請求項１から請求項３の何れか１つに記載の無線テレメータシステム。
【請求項５】
メータを接続する接続部と、無線網を介して他の無線機と無線通信を行うと共に、外部通信装置と通信可能であるゲートウェイ無線機と前記無線網を介して無線通信を行う無線通信部とを備え、接続先を識別する識別子を含んだ識別子通知信号を前記無線網を介して受信した場合、前記接続先との通信接続の可否を判断し、通信接続を可と判断した場合に前記接続先との通信接続を確立させる無線機において、
前記無線網を介して受信した識別子通知信号の送信元が前記他の無線機又は前記ゲートウェイ無線機のいずれであるかを判別する判別部と、
前記識別子通知信号の送信元が他の無線機である場合と前記ゲートウェイ無線機である場合とで異なる判断基準を用いて、前記送信元との通信接続の可否を判断する判断部と
を備えることを特徴とする無線機。
【発明の詳細な説明】
【技術分野】
【０００１】
本発明は、メータにて計測されたガス、水道、電気などの使用量を無線網を利用してセンタ側の通信装置へ送信する無線テレメータシステム及び無線機に関する。
【背景技術】
【０００２】
ガス、水道、電気等の検針用に開発された無線テレメータシステムが知られている（例えば、特許文献１を参照）。無線テレメータシステムは、センタ側の構成として、ホストコンピュータ、センタ網制御装置等を備え、端末側の構成として、無線親機、無線子機等を備える。センタ側のホストコンピュータと端末側の無線親機との間は、公衆電話網、ＰＨＳ（Personal Handyphone System）網、ＦＯＭＡ（Freedom Of Mobile multimedia Access）網などの広域通信網を介して通信可能に接続される。また、端末側の無線親機と各無線子機との間は、特定小電力無線方式などの狭域無線網を介して通信可能に接続される。
【０００３】
各無線子機には、各需要家に供給されるガス、水道、電気等の供給物の使用量を計測するメータが接続されており、各無線子機は、メータから出力される計測結果（検針値）を取得した場合、取得した検針値を含むデータを狭域無線網を通じて無線親機へ送信する。また、無線親機は、各無線子機から受信した検針値のデータを広域通信網を通じてセンタ側のホストコンピュータへ送信する。
【０００４】
端末側のネットワーク構成の１つとして、メッシュ型ネットワークが知られている。メッシュ型ネットワークでは、例えば外部から送信されたデータを自機が受信可能な状況にあるとき、送信すべきデータを有する他の機器（無線親機又は無線子機）を探索するためにビーコンを定期的に送信する。そして、送信すべきデータを有する無線親機又は無線子機がビーコンを受信した場合、無線親機又は無線子機は、そのビーコンの送信元に対してデータを送信する。
【先行技術文献】
【特許文献】
【０００５】
【特許文献１】特開２００４−３４１６４８号公報
【発明の概要】
【発明が解決しようとする課題】
【０００６】
無線テレメータシステムにおいて、複数の事業者が管理する無線網が地理的に重複、あるいは近接して敷設される場合、センタ及び無線親機を、複数の事業者で共用することにより、投資や維持管理の効率化を図ることができる。
【０００７】
しかしながら、複数の事業者で無線親機を共用するために、無線親機と通信可能な複数の事業者の無線子機を混在させて狭域無線網を形成した場合、一の事業者の無線子機から前記無線親機に至る通信経路上に、他の事業者の無線子機が存在する可能性があり、異なる事業者の無線子機間で中継が行われる可能性があるという問題点を有している。
【０００８】
また、他の無線子機による通信の中継役として頻繁に使用される無線子機については電池消耗が早くなってしまい、消費電力、保守負担等の面で事業者間に不公平が発生し得る。
【０００９】
更に、複数の事業者の無線子機が混在する狭域無線網では、狭域無線網の管理責任、運用責任などの責任がどの事業者にあるのかを明確にすることができないという問題点を有している。
【００１０】
本発明は、斯かる事情に鑑みてなされたものであり、複数のグループで無線親機（第２無線機）を共用するために、各グループの無線子機（第１無線機）を混在させて無線網を形成した場合であっても、グループが異なる無線子機間の通信を回避できる無線テレメータシステム及び無線機を提供することを目的とする。
【課題を解決するための手段】
【００１１】
本願の無線テレメータシステムは、メータを接続する接続部を備え、無線網を介して互いに無線通信を行う複数の第１無線機と、前記無線網を介して前記第１無線機と無線通信が可能であると共に、前記無線網とは異なる通信網に接続された外部通信装置と通信が可能である第２無線機とを含み、前記第１無線機及び前記第２無線機は、接続先を識別する識別子を含んだ識別子通知信号を前記無線網を介して受信した場合、前記接続先との通信接続の可否を判断し、通信接続を可と判断した場合に前記接続先との通信接続を確立させる無線テレメータシステムにおいて、前記第１無線機は、前記無線網を介して受信した識別子通知信号の送信元が他の第１無線機又は前記第２無線機のいずれであるかを判別する判別部と、前記識別子通知信号の送信元が他の第１無線機である場合と前記第２無線機である場合とで異なる判断基準を用いて、前記送信元との通信接続の可否を判断する判断部とを備えることを特徴とする。
【００１２】
本願の無線テレメータシステムは、前記識別子通知信号は、属性に応じて各第１無線機及び前記第２無線機を分類する複数のグループのうち、前記識別子通知信号の送信元が属するグループのグループＩＤを含み、前記判断部は、受信した識別子通知信号の送信元が他の第１無線機であると前記判別部にて判別された場合、前記識別子通知信号に含まれるグループＩＤと、前記識別子通知信号を受信した第１無線機が属するグループのグループＩＤとが一致する場合に前記送信元との通信接続を可と判断し、受信した識別子通知信号の送信元が前記第２無線機であると前記判別部にて判別された場合、前記識別子通知信号に含まれるグループＩＤが予め定めたグループＩＤの候補に該当する場合に前記送信元との通信接続を可と判断することを特徴とする。
【００１３】
本願の無線テレメータシステムは、前記第２無線機は、前記無線網を介して受信した識別子通知信号に含まれるグループＩＤが、予め定めたグループＩＤの候補に該当するか否かに応じて、前記識別子通知信号の送信元との通信接続の可否を判断する第２判断部を備えることを特徴とする。
【００１４】
本願の無線テレメータシステムは、前記第２無線機は、前記複数の第１無線機の何れか１つが属するグループのグループＩＤと同一のグループＩＤを有することを特徴とする。
【００１５】
本願の無線機は、メータを接続する接続部と、無線網を介して他の無線機と無線通信を行うと共に、外部通信装置と通信可能であるゲートウェイ無線機と前記無線網を介して無線通信を行う無線通信部とを備え、接続先を識別する識別子を含んだ識別子通知信号を前記無線網を介して受信した場合、前記接続先との通信接続の可否を判断し、通信接続を可と判断した場合に前記接続先との通信接続を確立させる無線機において、前記無線網を介して受信した識別子通知信号の送信元が前記他の無線機又は前記ゲートウェイ無線機のいずれであるかを判別する判別部と、前記識別子通知信号の送信元が他の無線機である場合と前記ゲートウェイ無線機である場合とで異なる判断基準を用いて、前記送信元との通信接続の可否を判断する判断部とを備えることを特徴とする。
【発明の効果】
【００１６】
本願によれば、複数のグループで無線親機（第２無線機）を共用するために、各グループの無線子機（第１無線機）を混在させて無線網を形成した場合であっても、グループが異なる無線子機間の通信を回避することができる。この結果、消費電力、保守負担等の面での事業者間の不公平をなくし、狭域無線網の管理責任、運用責任等の責任の所在を明確にすることができる。
【図面の簡単な説明】
【００１７】
【図１】本実施の形態に係る無線テレメータシステムの全体構成を示すブロック図である。
【図２】ＮＣＵの内部構成を示すブロック図である。
【図３】ゲートウェイ無線機の内部構成を示すブロック図である。
【図４】無線機の内部構成を示すブロック図である。
【図５】実施の形態１に係る無線テレメータシステムのネットワーク構成を説明する説明図である。
【図６】ゲートウェイ無線機及び無線機が送信するＲＮＯのフレーム構成を説明する模式図である。
【図７】ＲＮＯを受信したときにゲートウェイ無線機が実行する処理の手順を説明するフローチャートである。
【図８】ＲＮＯを受信したときに無線機が実行する処理の手順を説明するフローチャートである。
【図９】実施の形態２に係る無線機が実行する処理の手順を説明するフローチャートである。
【図１０】実施の形態３に係る無線機が実行する処理の手順を説明するフローチャートである。
【発明を実施するための形態】
【００１８】
以下、本発明をその実施の形態を示す図面に基づいて具体的に説明する。
（実施の形態１）
図１は本実施の形態に係る無線テレメータシステムの全体構成を示すブロック図である。本実施の形態に係る無線テレメータシステムは、端末側の構成として、ＮＣＵ２０（NCU : Network Control Unit）、ゲートウェイ無線機２１、例えば事業者Ａ〜Ｃによってそれぞれ管理される無線機２２Ａ〜２２Ｃ及びメータ２３Ａ〜２３Ｃを備える。メータ２３Ａ〜２３Ｃは、例えば個人宅、会社、各種施設等の需要家毎に設置され、ガス、水道、電気等の使用量を計測し、計測結果（検針値）を出力する計測器である。無線テレメータシステムでは、メータ２３Ａ〜２３Ｃの検針値を示すデータ、無線機２２Ａ〜２２Ｃの動作状態を示すデータなど端末側から出力される各種データを、無線通信を利用してセンタ１０へ送信すると共に、無線機２２Ａ〜２２Ｃ及びメータ２３Ａ〜２３Ｃの動作を制御するための制御指令等を含んだ各種データをセンタ１０から端末側へ送信する。
【００１９】
センタ１０は、例えば、ＰＨＳ網、ＦＯＭＡ網などの広域無線網Ｎを介して端末側と通信を行うと共に、端末側から送信されるデータを蓄積するためのサーバ装置である。
【００２０】
ＮＣＵ２０は、広域無線網Ｎに接続され、広域無線網Ｎを介してセンタ１０と無線通信を行う。なお、ＮＣＵ２０とセンタ１０との間の通信は無線通信に限らず、有線の通信であってもよい。この場合、ＮＣＵ２０及びセンタ１０は有線の通信網により接続される。
【００２１】
ゲートウェイ無線機２１とＮＣＵ２０とは、Ｕバス等のバスラインを介して接続される。ゲートウェイ無線機２１は、バスラインを介して接続されたＮＣＵ２０を通じて、センタ１０と通信が行えるように構成されている。また、ゲートウェイ無線機２１は、無線機２２Ａ，２２Ａ，…，２２Ａにより構築される狭域無線網ＮＡ、無線機２２Ｂ，２２Ｂ，…，２２Ｂにより構築される狭域無線網ＮＢ、及び無線機２２Ｃ，２２Ｃ，…，２２Ｃにより構築される狭域無線網ＮＣに参加することにより、各無線機２２Ａ〜２２Ｃと通信が行えるように構成されている。なお、狭域無線網ＮＡ〜ＮＣは、それぞれを識別するネットワーク番号により区別されるものとする。
【００２２】
狭域無線網ＮＡに属する各無線機２２Ａは、例えば、それぞれに接続されているメータ２３Ａから検針値を取得した場合、検針値を示すデータを狭域無線網ＮＡを介してゲートウェイ無線機２１へ送信する。狭域無線網ＮＢに属する各無線機２２Ｂ、狭域無線網ＮＣに属する各無線機２２Ｃについても同様である。ゲートウェイ無線機２１は、狭域無線網ＮＡ〜ＮＣを通じて無線機２２Ａ〜２２Ｃから送信されるデータを受信した場合、及び自機においてセンタ１０へ通知すべきイベントが発生した場合等において、ＮＣＵ２０を通じてセンタ１０との通信を行い、所望のデータをセンタ１０へ送信する。
【００２３】
以下の説明において、狭域無線網ＮＡ〜ＮＣにそれぞれ属する無線機２２Ａ〜２２Ｃを区別して説明する必要がない場合には、無線機２２とも記載する。また、無線機２２Ａ〜２２Ｃに接続されるメータ２３Ａ〜２３Ｃを区別して説明する必要がない場合には、メータ２３とも記載する。
【００２４】
図２はＮＣＵ２０の内部構成を示すブロック図である。ＮＣＵ２０は、制御部２００、記憶部２０１、広域無線通信部２０２、接続部２０３、表示部２０４、操作部２０５などを備える。ＮＣＵ２０が備えるハードウェア各部は、図に示していない内蔵電池又は外部電源から供給される電力により動作するように構成されている。
【００２５】
制御部２００は、例えば、ＣＰＵ（Central Processing Unit）、ＲＯＭ（Read Only Memory）などを備える。制御部２００内のＣＰＵは、ＲＯＭに予め格納された制御プログラムを実行することにより、上述したハードウェア各部の動作を制御する。また、制御部２００は、計測開始指示を与えてから計測終了指示を与えるまでの経過時間を計測するタイマ、数をカウントするカウンタ等の機能を備えていてもよい。
【００２６】
記憶部２０１は、例えば、ＥＥＰＲＯＭ（Electronically Erasable Programmable Read Only Memory）などの不揮発性メモリにより構成されており、ＮＣＵ２０の動作に関する設定情報、接続部２０３に接続されたゲートウェイ無線機２１のアドレス等の情報などを記憶する。
【００２７】
広域無線通信部２０２は、アンテナ２０２ａを通じて電波を発信または受信することによって、センタ１０との通信を行う。ＮＣＵ２０は、例えば、メータ２３Ａ〜２３Ｃから送信される検針値のデータを無線機２２Ａ〜２２Ｃ及びゲートウェイ無線機２１を通じて受信した場合、アンテナ２０２ａを駆動して電波を発信させることより、広域無線網Ｎの通信規格に準拠した形式にてデータを送信する処理を広域無線通信部２０２に実行させる。
【００２８】
また、広域無線通信部２０２は、アンテナ２０２ａにて電波を受信した場合、その電波の電波強度を検出すると共に、受信電波をデコードすることにより所定の形式のデータを取得する。アンテナ２０２ａにて受信する受信電波には、例えば、センタ１０から送信される起動指令などの各種制御コマンドが含まれる。広域無線通信部２０２は、受信電波をデコードして得られるデータを制御部２００へ出力する。制御部２００は、広域無線通信部２０２から出力されたデータを取得した場合、そのデータに基づいて各種の制御を行う。
【００２９】
接続部２０３は、Ｕバスなどのバスラインを介して各種機器を接続するインタフェースを備える。本実施の形態では、後述するゲートウェイ無線機２１が接続部２０３に接続されているものとする。
【００３０】
表示部２０４は、ＬＥＤランプ（LED : Light Emitting Diode）、液晶表示パネル等により構成されており、制御部２００から出力される制御信号に基づいて、ＮＣＵ２０の設置作業及び保守作業を行う作業員等に通知すべき情報を表示する。
【００３１】
操作部２０５は、ディップスイッチ等の各種スイッチ、ボタンにより構成されており、作業員等による各種の設定操作を受付ける。制御部２００は、操作部２０５から入力される設定内容を基に各種制御を行い、必要に応じて設定内容を記憶部２０１に記憶させる。
【００３２】
図３はゲートウェイ無線機２１の内部構成を示すブロック図である。ゲートウェイ無線機２１は、制御部２１０、記憶部２１１、接続部２１２、狭域無線通信部２１３、表示部２１４、操作部２１５などを備える。ゲートウェイ無線機２１が備えるハードウェア各部は、図に示していない内蔵電池又は外部電源から供給される電力により動作するように構成されている。
【００３３】
制御部２１０は、例えば、ＣＰＵ、ＲＯＭなどを備える。制御部２１０内のＣＰＵは、ＲＯＭに予め格納された制御プログラムを実行することにより、機器全体を本発明に係る第２無線機として機能させる。また、制御部２１０は、計測開始指示を与えてから計測終了指示を与えるまでの経過時間を計測するタイマ、数をカウントするカウンタ等の機能を備えていてもよい。
【００３４】
記憶部２１１は、例えば、ＥＥＰＲＯＭなどの不揮発性メモリにより構成されており、ゲートウェイ無線機２１の動作に関する設定情報、ゲートウェイ無線機２１に付与された無線機番号を記憶すると共に、ホップ数テーブル等を備える。本実施の形態では、ゲートウェイ無線機２１には無線テレメータシステムで予め定められた特定の無線機番号（例えば０ｘＥ８）が付与されるものとする。なお、無線テレメータシステム内にゲートウェイ無線機２１が複数設置される場合があるので、ゲートウェイ無線機２１に割り当てるべき無線機番号は複数用意されていてもよい。また、ホップ数テーブルは、各無線機２２の無線機番号と、ゲートウェイ無線機２１から各無線機２２に至るまでのホップ数とを関連付けて記憶するテーブルであり、狭域無線網ＮＡ〜ＮＣ毎に用意される。
【００３５】
接続部２１２は、ゲートウェイ無線機２１をＮＣＵ２０側の接続部２０３に接続するためのインタフェースを備える。ゲートウェイ無線機２１は、バスラインを介して接続されたＮＣＵ２０と接続部２１２を通じて通信を行う。
【００３６】
狭域無線通信部２１３は、アンテナ２１３ａを通じて電波を発信または受信することによって、無線機２２，２２，…，２２と所定の無線通信方式にて無線通信を行う。無線通信方式としては、例えばＵバスエアの規格に準拠した通信方式が採用される。ゲートウェイ無線機２１の狭域無線通信部２１３は、自機が無線機２２から送信されるデータを受信することが可能である場合、自機の識別子（無線機番号）及び自機が属する狭域無線網（ＮＡ〜ＮＣ）のネットワーク番号を含む識別子通知信号（ＲＮＯ）を間欠的に送信する。また、狭域無線通信部２１３は、無線機２２から送信されるＲＮＯを受信した場合であって、自機が送信すべきデータを有するとき、当該データをＲＮＯの送信元へ送信する。
【００３７】
表示部２１４は、ＬＥＤランプ、液晶表示パネル等により構成されており、制御部２１０から出力される制御信号に基づいて、ゲートウェイ無線機２１の設置作業及び保守作業を行う作業員等に通知すべき情報を表示する。
【００３８】
操作部２１５は、ディップスイッチ等の各種スイッチ、ボタンにより構成されており、作業員等による各種の設定操作を受付ける。制御部２１０は、操作部２１５から入力される設定内容を基に各種制御を行い、必要に応じて設定内容を記憶部２１１に記憶させる。
【００３９】
なお、本実施の形態では、ＮＣＵ２０及びゲートウェイ無線機２１が別体の構成について説明したが、ＮＣＵ２０及びゲートウェイ無線機２１が一体となった無線機を用いる構成であってもよい。
【００４０】
図４は無線機２２の内部構成を示すブロック図である。無線機２２は、制御部２２０、記憶部２２１、狭域無線通信部２２２、接続ポート２２３、表示部２２４、操作部２２５などを備える。無線機２２が備えるハードウェア各部は、図に示していない電池から供給される電力により動作するように構成されている。
【００４１】
制御部２２０は、例えば、ＣＰＵ、ＲＯＭなどを備える。制御部２２０内のＣＰＵは、ＲＯＭに予め格納された制御プログラムを実行することにより、機器全体を本発明に係る第１無線機として機能させる。また、制御部２２０は、計測開始指示を与えてから計測終了指示を与えるまでの経過時間を計測するタイマ、数をカウントするカウンタ等の機能を備えていてもよい。
【００４２】
記憶部２２１は、例えば、ＥＥＰＲＯＭなどの不揮発性メモリにより構成されており、各種動作に関する設定情報、自機に付与された無線機番号、接続ポート２２３に接続されたメータ２３のメータＩＤ等を記憶する。ここで、無線機２２に付与される無線機番号は、狭域無線網ＮＡ〜ＮＣのそれぞれにおいて各無線機２２を識別するために、図に示していない番号発行無線機によって付与される識別子である。また、記憶部２２１は、自機が属する狭域無線網（例えば狭域無線網ＮＡ）内の各無線機２２に付与された無線機番号と、当該無線機２２に至るまでのホップ数とを関連付けて記憶するホップ数テーブルを備える。
【００４３】
狭域無線通信部２２２は、アンテナ２２２ａを通じて電波を発信または受信することによって、ゲートウェイ無線機２１及び他の無線機２２，２２，…，２２との間で所定の無線通信方式にて無線通信を行う。無線通信方式としては、例えばＵバスエアの規格に準拠した通信方式が採用される。無線機２２の狭域無線通信部２２２は、自機がゲートウェイ無線機２１又は他の無線機２２から送信されるデータを受信することが可能である場合、自機の識別子（無線機番号）及び自機が属する狭域無線網（ＮＡ〜ＮＣ）のネットワーク番号を含むＲＮＯを間欠的に送信する。また、狭域無線通信部２２２は、ゲートウェイ無線機２１又は他の無線機２２から送信されるＲＮＯを受信した場合であって、自機が送信すべきデータを有するとき、当該データをＲＮＯの送信元へ送信する。
【００４４】
接続ポート２２３は、ガス、水道、電気等の使用量を計測するためのメータ２３を接続する。接続ポート２２３は、接続されたメータ２３から検針値を取得した場合、検針値を示すデータを制御部２２０へ送出する。
【００４５】
表示部２２４は、ＬＥＤランプ、液晶表示パネル等により構成されており、制御部２２０から出力される制御信号に基づいて、無線機２２の設置作業及び保守作業を行う作業員等に通知すべき情報を表示する。
【００４６】
操作部２２５は、ディップスイッチ等の各種スイッチ、ボタンにより構成されており、作業員等による各種の設定操作を受付ける。制御部２２０は、操作部２２５から入力される設定内容を基に各種制御を行い、必要に応じて設定内容を記憶部２２１に記憶させる。
【００４７】
図５は実施の形態１に係る無線テレメータシステムのネットワーク構成を説明する説明図である。前述したように、実施の形態１では、事業者Ａの無線機２２Ａが接続される狭域無線網ＮＡ、事業者Ｂの無線機２２Ｂが接続される狭域無線網ＮＢ、及び事業者Ｃの無線機２２Ｃが接続される狭域無線網ＮＣが混在した状態で構築されている。各狭域無線網ＮＡ，ＮＢ，ＮＣには、それぞれを識別するためのネットワーク番号（例えば２４ビットの１６進数）が付与される。図５の例では、狭域無線網ＮＡに「０００１」、狭域無線網ＮＢに「０００２」、狭域無線網ＮＣに「０００３」のネットワーク番号がそれぞれ付与されている例を示している。狭域無線網ＮＡ〜ＮＣに付与されるネットワーク場号は、予め設定されているネットワーク番号の範囲（例えば「０００１」〜「０００Ｆ」）の中から選択される。
【００４８】
各無線機２２は、それぞれが属するグループのグループＩＤとして、狭域無線網のネットワーク番号を記憶部２２１に記憶している。例えば、狭域無線網ＮＡに属する無線機２２Ａは、「０００１」というネットワーク番号を記憶部２２１に記憶している。狭域無線網ＮＢ，ＮＣに属する無線機２２Ｂ，２２Ｃについても同様である。
【００４９】
同様に、ゲートウェイ無線機２１は、自身に付与されたネットワーク番号を記憶部２１１に記憶している。ゲートウェイ無線機２１に付与されるネットワーク番号は、予め設定されているネットワーク番号の範囲（例えば、「０００１」〜「０００Ｆ」）の中から選択される。図５の例では、ゲートウェイ無線機２１のネットワーク番号として、「０００１」を記憶部２１１に記憶している例を示している。
【００５０】
以下では、狭域無線網ＮＡ〜ＮＣに対して付与され得るネットワーク番号の範囲を、無線機２２の候補番号という。また、ゲートウェイ無線機２１に対して付与され得るネットワーク番号の範囲を、ゲートウェイ無線機２１の候補番号という。無線機２２は、ゲートウェイ無線機２１の候補番号を記憶部２２１に記憶しているものとする。一方、ゲートウェイ無線機２１は、ゲートウェイ無線機２１及び無線機２２の双方の候補番号を記憶部２１１に記憶しているものとする。
【００５１】
なお、ゲートウェイ無線機２１の候補番号及び無線機２２の候補番号は、互いに一致するものであってもよい。また、ゲートウェイ無線機２１の候補番号及び無線機２２の候補番号は、部分的に一致するものであってもよい。更に、ゲートウェイ無線機２１の候補番号及び無線機２２の候補番号は、互いに異なるものであってもよい。
【００５２】
以下、ゲートウェイ無線機２１及び無線機２２の動作を説明する。
ゲートウェイ無線機２１及び各無線機２２Ａ〜２２Ｃは、他機から送信される信号を受信可能な状態にある場合、ＲＮＯ（識別子通知信号）を間欠的に送信する。図６はゲートウェイ無線機２１及び無線機２２が送信するＲＮＯのフレーム構成を説明する模式図である。ゲートウェイ無線機２１及び各無線機２２Ａ〜２２Ｃは、自機が送信すべき信号を有する場合、送信先とすべき宛先から送信されるＲＮＯを待ち受ける受信待ちの状態となる。また、ゲートウェイ無線機２１及び各無線機２２Ａ〜２２Ｃは、他機から送信される信号を受信可能な状態にある場合、ＲＮＯ（識別子通知信号）を間欠的に送信する。
【００５３】
ＲＮＯのフレームは、例えば、物理ヘッダ、シーケンス番号、宛先無線機番号、グループＩＤ、送信元無線機番号、リンク制御コマンド、連続チェックコード異常検出回数、チェックコードを含む。ここで、グループＩＤは、属性に応じて各無線機２２を分類するグループの識別子である。本実施の形態では、グループＩＤとしてネットワーク番号を用いる構成について説明するが、ネットワーク番号に代えて、事業者を識別する識別コード等の任意の識別子を用いてもよい。
【００５４】
ゲートウェイ無線機２１及び各無線機２２Ａ〜２２Ｃは、自身が外部へ送信すべきデータを有しており、狭域無線網ＮＡ〜ＮＢを介して無線通信を行う必要がある場合、他機から送信されるＲＮＯを受信したときに、ＲＮＯの送信元との通信接続の可否を判断する。
【００５５】
図７はＲＮＯを受信したときにゲートウェイ無線機２１が実行する処理の手順を説明するフローチャートである。ゲートウェイ無線機２１の制御部２１０は、狭域無線通信部２１３を通じてＲＮＯを受信したか否かを判断する（ステップＳ１０１）。ＲＮＯを受信していない場合（Ｓ１０１：ＮＯ）、制御部２１０は、他機から送信されるＲＮＯを狭域無線通信部２１３にて受信するまで待機する。
【００５６】
ＲＮＯを受信したと判断した場合（Ｓ１０１：ＹＥＳ）、制御部２１０は、ＲＮＯの送信元が無線機２２であるか否かを判別する（ステップＳ１０２）。ＲＮＯの送信元が無線機２２であるか否かは、ＲＮＯのフレームに含まれる送信元無線機番号を調べることにより判別することができる。具体的には、ゲートウェイ無線機２１に割り当てるべき無線機番号として予め設定されている無線機番号以外の無線機番号が送信元無線機番号に付加されている場合、制御部２１０は、ＲＮＯの送信元が無線機２２であると判別することができる。
【００５７】
ＲＮＯの送信元が無線機２２である場合（Ｓ１０２：ＹＥＳ）、制御部２１０は、ＲＮＯに含まれるネットワーク番号（グループＩＤ）が無線機２２の候補番号に該当するか否かを判断する（ステップＳ１０３）。
【００５８】
無線機２２の候補番号に該当すると判断した場合（Ｓ１０３：ＹＥＳ）、制御部２１０は、ＲＮＯの送信元（無線機２２）に対してリクエストを送信し、ＲＮＯの送信元との通信接続を確立させる（ステップＳ１０４）。通信接続を確立させた後、ゲートウェイ無線機２１は、送信すべきデータを含む信号を狭域無線通信部２１３を通じて送信することができる。
【００５９】
無線機２２の候補番号に該当しないと判断した場合（Ｓ１０３：ＮＯ）、制御部２１０は、ＲＮＯの送信元との通信接続を確立させることなく、処理をステップＳ１０１へ戻す。
【００６０】
一方、ＲＮＯの送信元が無線機２２でない場合（Ｓ１０２：ＮＯ）、すなわちＲＮＯの送信元が図に示していない他のゲートウェイ無線機２１である場合、制御部２１０は、ＲＮＯに含まれるネットワーク番号（グループＩＤ）がゲートウェイ無線機２１の候補番号に該当するか否かを判断する（ステップＳ１０５）。
【００６１】
ゲートウェイ無線機２１の候補番号に該当すると判断した場合（Ｓ１０５：ＹＥＳ）、制御部２１０は、ＲＮＯの送信元（他のゲートウェイ無線機２１）に対してリクエストを送信し、ＲＮＯの送信元との通信接続を確立させる（ステップＳ１０６）。通信接続を確立させた後、ゲートウェイ無線機２１は、送信すべきデータを含む信号を狭域無線通信部２１３を通じて送信することができる。
【００６２】
ゲートウェイ無線機２１の候補番号に該当しないと判断した場合（Ｓ１０５：ＮＯ）、制御部２１０は、ＲＮＯの送信元との通信接続を確立させることなく、処理をステップＳ１０１へ戻す。
【００６３】
図８はＲＮＯを受信したときに無線機２２が実行する処理の手順を説明するフローチャートである。無線機２２の制御部２２０は、狭域無線通信部２２２を通じてＲＮＯを受信したか否かを判断する（ステップＳ１２１）。ＲＮＯを受信していない場合（Ｓ１２１：ＮＯ）、制御部２２０は、他機から送信されるＲＮＯを狭域無線通信部２２２にて受信するまで待機する。
【００６４】
ＲＮＯを受信したと判断した場合（Ｓ１２１：ＹＥＳ）、制御部２２０は、ＲＮＯの送信元が他の無線機２２であるか否かを判別する（ステップＳ１２２）。ＲＮＯの送信元が他の無線機２２であるか否かは、ＲＮＯのフレームに含まれる送信元無線機番号を調べることにより判別することができる。具体的には、ゲートウェイ無線機２１に割り当てるべき無線機番号として予め設定されている無線機番号以外の無線機番号が送信元無線機番号に付加されている場合、制御部２２０は、ＲＮＯの送信元が他の無線機２２であると判別することができる。
【００６５】
ＲＮＯの送信元が他の無線機２２である場合（Ｓ１２２：ＹＥＳ）、制御部２２０は、ＲＮＯに含まれるネットワーク番号（グループＩＤ）が自機が属する狭域無線網（ＮＡ〜ＮＣ）のネットワーク番号と同一であるか否かを判断する（ステップＳ１２３）。
【００６６】
ネットワーク番号が同一であると判断した場合（Ｓ１２３：ＹＥＳ）、制御部２２０は、ＲＮＯの送信元（他の無線機２２）に対してリクエストを送信し、ＲＮＯの送信元との通信接続を確立させる（ステップＳ１２４）。通信接続を確立させた後、無線機２２は、送信すべきデータを含む信号を狭域無線通信部２２２を通じて送信することができる。
【００６７】
ネットワーク番号が同一でないと判断した場合（Ｓ１２３：ＮＯ）、制御部２２０は、ＲＮＯの送信元との通信接続を確立させることなく、処理をステップＳ１２１へ戻す。
【００６８】
一方、ＲＮＯの送信元が他の無線機２２でない場合（Ｓ１２２：ＮＯ）、すなわちＲＮＯの送信元がゲートウェイ無線機２１である場合、制御部２２０は、ＲＮＯに含まれるネットワーク番号（グループＩＤ）がゲートウェイ無線機２１の候補番号に該当するか否かを判断する（ステップＳ１２５）。
【００６９】
ゲートウェイ無線機２１の候補番号に該当すると判断した場合（Ｓ１２５：ＹＥＳ）、制御部２２０は、ＲＮＯの送信元（ゲートウェイ無線機２１）に対してリクエストを送信し、ＲＮＯの送信元との通信接続を確立させる（ステップＳ１２６）。通信接続を確立させた後、無線機２２は、送信すべきデータを含む信号を狭域無線通信部２２２を通じて送信することができる。
【００７０】
ゲートウェイ無線機２１の候補番号に該当しないと判断した場合（Ｓ１２５：ＮＯ）、制御部２２０は、ＲＮＯの送信元との通信接続を確立させることなく、処理をステップＳ１２１へ戻す。
【００７１】
従来の無線テレメータシステムでは、各無線機は、受信したＲＮＯのＭＡＣヘッダを解析した際、ゲートウェイ無線機と子機（無線機）とを区別せずに、同じ判断基準を用いて、同一ネットワーク内の無線機であるか否かを判断していた。このため、ゲートウェイ無線機と子機とが同じネットワーク番号を持つ無線機間でしか通信接続が成立せず、複数の事業者がゲートウェイ無線機を共用するネットワーク形成は不可能であった。
【００７２】
これに対し、実施の形態１では、ＲＮＯを受信した場合にネットワーク番号の同一性を判断する際、ＲＮＯの送信元がゲートウェイ無線機２１であるか又は無線機２２であるかにより判断基準を異ならせているので、例えば無線機２２同士の無線通信は同一事業者に属する場合のみに制限することができると共に、ゲートウェイ無線機２１における無線通信は、ネットワーク番号が異なる複数の事業者の無線機２２を相手とした無線通信を許可することができる。
【００７３】
なお、本実施の形態では、ゲートウェイ無線機２１の候補番号及び無線機２２の候補番号を、それぞれ「０００１」〜「０００Ｆ」のように、連続した範囲により指定したが、「０００１」，「００１５」，「００３４」，…のように離散的な番号により指定する構成としてもよい。この場合、ゲートウェイ無線機２１及び無線機２２は、それぞれ候補番号をテーブルにより記憶していてもよい。
【００７４】
また、候補番号を「０〜５」，「６〜１１」，「１２〜１７」のようにｎ個区切りでまとめる構成としてもよい。この場合、ゲートウェイ無線機２１及び無線機２２は、例えば（ｎ＋１）で候補番号を除算したときの商を演算により求めることにより、グループの同一性を判断することができる。
【００７５】
（実施の形態２）
実施の形態２では、ゲートウェイ無線機２１に対して予め設定されているネットワーク番号の範囲（ゲートウェイ無線機２１の候補番号）と、無線機２２に対して予め設定されているネットワーク番号の範囲（無線機２２の候補番号）とが一致する場合における処理手順について説明する。
なお、実施の形態２における無線テレメータシステムの全体構成、ＮＣＵ２０、ゲートウェイ無線機２１及び無線機２２の内部構成は、実施の形態１と同様であるため、その説明を省略することとする。
【００７６】
図９は実施の形態２に係る無線機２２が実行する処理の手順を説明するフローチャートである。無線機２２の制御部２２０は、狭域無線通信部２２２を通じてＲＮＯを受信したか否かを判断する（ステップＳ２０１）。ＲＮＯを受信していない場合（Ｓ２０１：ＮＯ）、制御部２２０は、他機から送信されるＲＮＯを狭域無線通信部２２２にて受信するまで待機する。
【００７７】
ＲＮＯを受信したと判断した場合（Ｓ２０１：ＹＥＳ）、制御部２２０は、ＲＮＯに含まれるネットワーク番号（グループＩＤ）が自機が属する狭域無線網（ＮＡ〜ＮＣ）のネットワーク番号と同一であるか否かを判断する（ステップＳ２０２）。
【００７８】
ネットワーク番号が同一であると判断した場合（Ｓ２０２：ＹＥＳ）、制御部２２０は、ＲＮＯの送信元（他の無線機２２）に対してリクエストを送信し、ＲＮＯの送信元との通信接続を確立させる（ステップＳ２０３）。通信接続を確立させた後、無線機２２は、送信すべきデータを含む信号を狭域無線通信部２２２を通じて送信することができる。
【００７９】
ネットワーク番号が同一でないと判断した場合（Ｓ２０２：ＮＯ）、制御部２２０は、ＲＮＯの送信元が他の無線機２２であるか否かを判別する（ステップＳ２０４）。ＲＮＯの送信元が他の無線機２２であるか否かは、ＲＮＯのフレームに含まれる送信元無線機番号を調べることにより判別することができる。具体的には、ゲートウェイ無線機２１に割り当てるべき無線機番号として予め設定されている無線機番号以外の無線機番号が送信元無線機番号に付加されている場合、制御部２２０は、ＲＮＯの送信元が他の無線機２２であると判別することができる。
【００８０】
ＲＮＯの送信元が他の無線機２２である場合（Ｓ２０４：ＹＥＳ）、すなわち、他の無線機２２が自機と異なるネットワーク番号を有すると判断できる場合、制御部２２０は、ＲＮＯの送信元と通信接続を確立させることなく、処理をステップＳ２０１へ戻す。
【００８１】
ＲＮＯの送信元が他の無線機２２でない場合（Ｓ２０４：ＮＯ）、制御部２２０は、ＲＮＯに含まれるネットワーク番号（グループＩＤ）がゲートウェイ無線機２１の候補番号に該当するか否かを判断する（ステップＳ２０５）。
【００８２】
ゲートウェイ無線機２１の候補番号に該当すると判断した場合（Ｓ２０５：ＹＥＳ）、制御部２２０は、ＲＮＯの送信元（ゲートウェイ無線機２１）に対してリクエストを送信し、ＲＮＯの送信元との通信接続を確立させる（ステップＳ２０６）。通信接続を確立させた後、無線機２２は、送信すべきデータを含む信号を狭域無線通信部２２２を通じて送信することができる。
【００８３】
ゲートウェイ無線機２１の候補番号に該当しないと判断した場合（Ｓ２０５：ＮＯ）、制御部２２０は、ＲＮＯの送信元との通信接続を確立させることなく、処理をステップＳ２０１へ戻す。
【００８４】
以上のように、実施の形態２では、各無線機２２はＲＮＯの送信元がゲートウェイ無線機２１であると判別した場合にのみ、ネットワーク番号の同一性を判断する。狭域無線網ＮＡ〜ＮＣに属する無線機２２の大部分はゲートウェイ無線機２１よりも他の無線機２２と無線通信を行う機会が多いので、ＲＮＯの送信元がゲートウェイ無線機２１であると判別した場合にのみ、ネットワーク番号の同一性を判断する構成とすることにより、同一性判断の頻度を抑えることができる。
【００８５】
（実施の形態３）
実施の形態３では、ネットワーク番号の同一性を判断する際に、上位ビットのみを参照して判断する構成について説明する。
なお、実施の形態３における無線テレメータシステムの全体構成、ＮＣＵ２０、ゲートウェイ無線機２１及び無線機２２の内部構成は、実施の形態１と同様であるため、その説明を省略することとする。
【００８６】
図１０は実施の形態３に係る無線機２２が実行する処理の手順を説明するフローチャートである。無線機２２の制御部２２０は、狭域無線通信部２２２を通じてＲＮＯを受信したか否かを判断する（ステップＳ３０１）。ＲＮＯを受信していない場合（Ｓ３０１：ＮＯ）、制御部２２０は、他機から送信されるＲＮＯを狭域無線通信部２２２にて受信するまで待機する。
【００８７】
ＲＮＯを受信したと判断した場合（Ｓ３０１：ＹＥＳ）、制御部２２０は、ＲＮＯの送信元が他の無線機２２であるか否かを判別する（ステップＳ３０２）。ＲＮＯの送信元が他の無線機２２であるか否かは、ＲＮＯのフレームに含まれる送信元無線機番号を調べることにより判別することができる。具体的には、ゲートウェイ無線機２１に割り当てるべき無線機番号として予め設定されている無線機番号以外の無線機番号が送信元無線機番号に付加されている場合、制御部２２０は、ＲＮＯの送信元が他の無線機２２であると判別することができる。
【００８８】
ＲＮＯの送信元が他の無線機２２である場合（Ｓ３０２：ＹＥＳ）、制御部２２０は、ＲＮＯに含まれるネットワーク番号（グループＩＤ）の上位ビットと、自機が属する狭域無線網（ＮＡ〜ＮＣ）のネットワーク番号の上位ビットとが同一であるか否かを判断する（ステップＳ３０３）。本実施の形態では、ＲＮＯに含まれるネットワーク番号の上位ビット（例えば上位２０ビット）と、自機が属する狭域無線網（ＮＡ〜ＮＣ）のネットワーク番号の上位ビットとが同一であるか否かにより、ネットワーク番号の同一性を判断する。
【００８９】
ネットワーク番号が同一であると判断した場合（Ｓ３０３：ＹＥＳ）、制御部２２０は、ＲＮＯの送信元（他の無線機２２）に対してリクエストを送信し、ＲＮＯの送信元との通信接続を確立させる（ステップＳ３０４）。通信接続を確立させた後、無線機２２は、送信すべきデータを含む信号を狭域無線通信部２２２を通じて送信することができる。
【００９０】
ネットワーク番号が同一でないと判断した場合（Ｓ３０３：ＮＯ）、制御部２２０は、ＲＮＯの送信元との通信接続を確立させることなく、処理をステップＳ３０１へ戻す。
【００９１】
一方、ＲＮＯの送信元が他の無線機２２でない場合（Ｓ３０２：ＮＯ）、すなわちＲＮＯの送信元がゲートウェイ無線機２１である場合、制御部２２０は、ＲＮＯに含まれるネットワーク番号（グループＩＤ）がゲートウェイ無線機２１の候補番号に該当するか否かを判断する（ステップＳ３０５）。このとき、制御部２２０は、ネットワーク番号の上位ビットにより、ゲートウェイ無線機２１の候補番号に該当するか否かを判断してもよい。
【００９２】
ゲートウェイ無線機２１の候補番号に該当すると判断した場合（Ｓ３０５：ＹＥＳ）、制御部２２０は、ＲＮＯの送信元（ゲートウェイ無線機２１）に対してリクエストを送信し、ＲＮＯの送信元との通信接続を確立させる（ステップＳ３０６）。通信接続を確立させた後、無線機２２は、送信すべきデータを含む信号を狭域無線通信部２２２を通じて送信することができる。
【００９３】
ゲートウェイ無線機２１の候補番号に該当しないと判断した場合（Ｓ３０５：ＮＯ）、制御部２２０は、ＲＮＯの送信元との通信接続を確立させることなく、処理をステップＳ３０１へ戻す。
【００９４】
以上のように、実施の形態３では、上位ビットのみでネットワーク番号の同一性を判断しているので、同一性の判断に要する時間を短縮することができる。
【００９５】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００９６】
以上の実施の形態に関し、更に以下の付記を開示する。
【００９７】
本願の無線テレメータシステムは、メータ（２３）を接続する接続部（２２３）を備え、無線網（ＮＡ〜ＮＣ）を介して互いに無線通信を行う複数の第１無線機（２２Ａ〜２２Ｃ）と、前記無線網（ＮＡ〜ＮＣ）を介して前記第１無線機（２２Ａ〜２２Ｃ）と無線通信が可能であると共に、前記無線網（ＮＡ〜ＮＣ）とは異なる通信網（Ｎ）に接続された外部通信装置（１０）と通信が可能である第２無線機（２１）とを含み、前記第１無線機（２２Ａ〜２２Ｃ）及び前記第２無線機（２１）は、接続先を識別する識別子を含んだ識別子通知信号を前記無線網（ＮＡ〜ＮＣ）を介して受信した場合、前記接続先との通信接続の可否を判断し、通信接続を可と判断した場合に前記接続先との通信接続を確立させる無線テレメータシステムにおいて、前記第１無線機（２２Ａ〜２２Ｃ）は、前記無線網（ＮＡ〜ＮＣ）を介して受信した識別子通知信号の送信元が他の第１無線機（２２Ａ〜２２Ｃ）又は前記第２無線機（２１）のいずれであるかを判別する判別部（２２０）と、前記識別子通知信号の送信元が他の第１無線機（２２Ａ〜２２Ｃ）である場合と前記第２無線機（２１）である場合とで異なる判断基準を用いて、前記送信元との通信接続の可否を判断する判断部（２２０）とを備えることを特徴とする。
【００９８】
本願では、各第１無線機は、識別子通知信号の送信元が他の第１無線機であるか又は第２無線機であるかに応じて判断基準を変更して、識別子通知信号の送信元との通信接続の可否を判断するので、例えば第１無線機同士の無線通信は同一グループに属する場合のみに制限することができると共に、第２無線機における無線通信は、複数のグループの第１無線機を相手とした無線通信を許可することができる。
【００９９】
本願の無線テレメータシステムは、前記識別子通知信号は、属性に応じて各第１無線機（２２Ａ〜２２Ｃ）及び前記第２無線機（２１）を分類する複数のグループのうち、前記識別子通知信号の送信元が属するグループのグループＩＤを含み、前記判断部（２２０）は、受信した識別子通知信号の送信元が他の第１無線機（２２Ａ〜２２Ｃ）であると前記判別部（２２０）にて判別された場合、前記識別子通知信号に含まれるグループＩＤと、前記識別子通知信号を受信した第１無線機（２２Ａ〜２２Ｃ）が属するグループのグループＩＤとが一致する場合に前記送信元との通信接続を可と判断し、受信した識別子通知信号の送信元が前記第２無線機（２１）であると前記判別部（２２０）にて判別された場合、前記識別子通知信号に含まれるグループＩＤが予め定めたグループＩＤの候補に該当する場合に前記送信元との通信接続を可と判断することを特徴とする。
【０１００】
本願では、第１無線機は、自機が属するグループのグループＩＤと一致するグループＩＤが含まれる識別子通知信号を受信した場合、送信元の第１無線機と通信接続するので、異なるグループに属する第１無線機間で無線通信を行うことが回避される。
【０１０１】
本願の無線テレメータシステムは、前記第２無線機（２１）は、前記無線網（ＮＡ〜ＮＣ）を介して受信した識別子通知信号に含まれるグループＩＤが、予め定めたグループＩＤの候補に該当するか否かに応じて、前記識別子通知信号の送信元との通信接続の可否を判断する第２判断部（２１０）を備えることを特徴とする。
【０１０２】
本願では、第２無線機は、予め定めたグループに属する第１無線機又は他の第２無線機と無線通信が行える。
【０１０３】
本願の無線テレメータシステムは、前記第２無線機（２１）は、前記複数の第１無線機（２２Ａ〜２２Ｃ）の何れか１つが属するグループのグループＩＤと同一のグループＩＤを有することを特徴とする。
【０１０４】
本願では、第２無線機に対して個別のグループＩＤを付与しない場合であっても、第２無線機と第１無線機との間のグループＩＤの同一性を判断することが可能となる。
【０１０５】
本願の無線機は、メータを接続する接続部（２２３）と、無線網（ＮＡ〜ＮＣ）を介して他の無線機（２２Ａ〜２２Ｃ）と無線通信を行うと共に、外部通信装置（１０）と通信可能であるゲートウェイ無線機（２１）と前記無線網（ＮＡ〜ＮＣ）を介して無線通信を行う無線通信部（２２２）とを備え、接続先を識別する識別子を含んだ識別子通知信号を前記無線網（ＮＡ〜ＮＣ）を介して受信した場合、前記接続先との通信接続の可否を判断し、通信接続を可と判断した場合に前記接続先との通信接続を確立させる無線機（２２Ａ〜２２Ｃ）において、前記無線網（ＮＡ〜ＮＣ）を介して受信した識別子通知信号の送信元が前記他の無線機（２２Ａ〜２２Ｃ）又は前記ゲートウェイ無線機（２１）のいずれであるかを判別する判別部（２２０）と、前記識別子通知信号の送信元が他の無線機（２２Ａ〜２２Ｃ）である場合と前記ゲートウェイ無線機（２１）である場合とで異なる判断基準を用いて、前記送信元との通信接続の可否を判断する判断部（２２０）とを備えることを特徴とする。
【０１０６】
本願では、各無線機は、識別子通知信号の送信元が他の無線機であるか又はゲートウェイ無線機であるかに応じて判断基準を変更して、識別子通知信号の送信元との通信接続の可否を判断するので、例えば無線機同士の無線通信は同一グループに属する場合のみに制限することができると共に、ゲートウェイ無線機における無線通信は、複数のグループの無線機を相手とした無線通信を許可することができる。
【符号の説明】
【０１０７】
１０  センタ
２０  ＮＣＵ
２１  ゲートウェイ無線機
２２Ａ〜２２Ｃ  無線機
２３Ａ〜２３Ｃ  メータ
２００，２１０，２２０  制御部
２０１，２１１，２２１  記憶部
２０２  広域無線通信部
２０３，２１２  接続部
２０４，２１４，２２４  表示部
２０５，２１５，２２５  操作部
２１３，２２２  狭域無線通信部
２２３  接続ポート
【図１】
0006579940.tif 000002
【図２】
0006579940.tif 000003
【図３】
0006579940.tif 000004
【図４】
0006579940.tif 000005
【図５】
0006579940.tif 000006
【図６】
0006579940.tif 000007
【図７】
0006579940.tif 000008
【図８】
0006579940.tif 000009
【図９】
0006579940.tif 000010
【図１０】
0006579940.tif 000011